【手続補正書】
【提出日】平成20年8月7日(2008.8.7)
【手続補正１】
【補正対象書類名】明細書
【補正対象項目名】特許請求の範囲
【補正方法】変更
【補正の内容】
【特許請求の範囲】
【請求項１】
検体検査を行うための検体検査システムであって、
検体を搬送するための搬送路を構成する搬送装置群と、
前記搬送路に沿って配置され、搬送装置により搬送された前記検体の測定を行う測定装置群と、
前記測定装置群に含まれる各測定装置が測定可能な検査項目（以下、設定項目という）を記憶する装置記憶手段と、
前記検体について測定すべきオーダ項目を記憶するオーダ記憶手段とを備え、
装置記憶手段により記憶された設定項目とオーダ記憶手段により記憶された検体のオーダ項目に基づいて、前記測定装置群のうち、前記設定項目が前記検体のオーダ項目全てを含むいずれかの測定装置で前記検体の測定を行う、検体検査システム。
【請求項２】
前記設定項目が検体のオーダ項目全てを含む測定装置のうち、設定項目数が最も少ない測定装置で前記検体の測定を行う、請求項１に記載の検体検査システム。
【請求項３】
前記搬送路に沿って配置された測定装置群に含まれる任意の測定装置は、設定項目Ｍjが前記測定装置より前記搬送路における搬送方向の上流側に位置する測定装置の設定項目Ｍiと同じかそれを含む（Ｍj⊇Ｍi）ように配置され、
前記オーダ項目全てを含む設定項目を有する測定装置のうち最も上流に位置する測定装置で前記検体の測定を行う、請求項１に記載の検体検査システム。
【請求項４】
設定項目に基づいて前記測定装置群を分類することにより、少なくとも１つの測定装置を含む複数の装置グループを生成し、
前記装置グループそれぞれの設定項目と前記オーダ項目とに基づいて前記オーダ項目全てを測定可能な装置グループを特定し、前記装置グループに含まれるいずれかの測定装置で前記検体の測定を行う、請求項１〜３のいずれかに記載の検体検査システム。
【請求項５】
前記オーダ項目全てを測定可能な装置グループに含まれる各測定装置の測定件数が平均化するように、前記検体の測定を行う測定装置を選択する、請求項４に記載の検体検査システム。
【請求項６】
前記各測定装置の設定項目を取得し、前記装置記憶手段に格納する装置情報取得手段をさらに備える、請求項１〜５のいずれかに記載の検体検査システム。
【請求項７】
オーダ項目の入力を受け付け、受け付けたオーダ項目を記憶するオーダ管理装置と、
前記オーダ項目の提供を前記オーダ管理装置に要求し、これを取得して前記オーダ記憶手段に格納するオーダ取得手段とをさらに有する、請求項１〜６のいずれかに記載の検体検査システム。
【請求項８】
前記測定装置群に含まれる各測定装置は血液凝固測定装置である、請求項１〜７のいずれかに記載の検体検査システム。
【請求項９】
検体検査を行うための検体検査システムに用いられる搬送制御装置としてコンピュータを機能させる搬送制御プログラムであって、
検体を搬送するための搬送路を構成する搬送装置群のそれぞれに接続するための接続手段、
前記搬送路に沿って配置され前記検体検査のための測定を行う測定装置群に含まれる各測定装置が測定可能な検査項目（以下、設定項目という）を記憶する装置記憶手段、
前記検体について測定すべきオーダ項目を記憶するオーダ記憶手段、及び装置記憶手段により記憶された設定項目とオーダ記憶手段により記憶された検体のオーダ項目に基づいて、前記測定装置群のうち、前記設定項目が前記検体のオーダ項目全てを含むいずれかの測定装置で前記検体の測定を行うために、前記搬送装置群及び／または前記測定装置群を制御する制御手段、として前記コンピュータを機能させる搬送制御プログラム。
【請求項１０】
検体検査を行うための検体検査システムに用いられる搬送制御方法であって、
検体を搬送するための搬送路を構成する搬送装置のそれぞれまたは前記搬送路に沿って配置され前記検体の測定を行う測定装置のそれぞれに接続するための接続ステップと、
前記測定装置が測定可能な検査項目（以下、設定項目という）を記憶する装置記憶ステップと、
前記検体について測定すべきオーダ項目を記憶するオーダ記憶ステップと、
装置記憶ステップにより記憶された設定項目とオーダ記憶ステップにより記憶された検体のオーダ項目に基づいて、前記測定装置群のうち、前記設定項目が前記検体のオーダ項目全てを含むいずれかの測定装置で前記検体の測定を行うために、前記搬送装置群及び／または前記測定装置群を制御する制御ステップと、を含む搬送制御方法。
【請求項１１】
検体を搬送するための搬送路を構成する搬送装置のそれぞれに接続するための接続手段と、
前記搬送路に沿って配置され前記検体の測定を行う測定装置それぞれが測定可能な検査項目（以下、設定項目という）を記憶する装置記憶手段と、
前記検体について測定すべきオーダ項目を記憶するオーダ記憶手段と、
装置記憶手段により記憶された設定項目とオーダ記憶手段により記憶された検体のオーダ項目に基づいて、前記測定装置群のうち、前記設定項目が前記検体のオーダ項目全てを含むいずれかの測定装置で前記検体の測定を行うために、前記搬送装置群及び／または前記測定装置群を制御する制御手段と、を備える搬送制御装置。
【手続補正２】
【補正対象書類名】明細書
【補正対象項目名】０００７
【補正方法】変更
【補正の内容】
【０００７】
【課題を解決するための手段】前記課題を解決するために、本願第１発明は、検体検査を行うための検体検査システムであって、下記Ａ〜Ｄの構成要素を有するシステムを提供する。
Ａ：検体を搬送するための搬送路を構成する搬送装置群、
Ｂ：前記搬送路に沿って配置され、搬送装置により搬送された前記検体の測定を行う測定装置群、
Ｃ：前記測定装置群に含まれる各測定装置が測定可能な検査項目（以下、設定項目という）を各測定装置ごとに記憶する装置記憶手段、
Ｄ：前記検体について測定すべきオーダ項目を記憶するオーダ記憶手段。
【手続補正３】
【補正対象書類名】明細書
【補正対象項目名】００１０
【補正方法】変更
【補正の内容】
【００１０】
本願第２発明は、前記第１発明において、前記設定項目が検体のオーダ項目全てを含む測定装置のうち、設定項目数が最も少ない測定装置で前記検体の測定を行う検体検査システムを提供する。例えば３台の測定装置Ａ、Ｂ、Ｃの設定項目が、測定装置Ａ（ａ，ｂ）、測定装置Ｂ（ａ，ｂ，ｃ）、測定装置Ｃ（ａ，ｂ，ｃ，ｄ）に設定されているとする。検体のオーダ項目が（ａ，ｂ，ｃ）の場合、このオーダ項目を測定可能な測定装置は測定装置Ｂ及び測定装置Ｃであるが、設定項目数がより少ない測定装置Ｂで測定を行う。測定頻度の高い測定項目を多くの測定装置に設定しておき、測定頻度の低い測定項目が設定される装置数を減らすとよい。設定項目数の多い測定装置に検体が集中して検査効率が低下することを防ぐことができる。また、試薬の無駄を防止することができる。
【手続補正４】
【補正対象書類名】明細書
【補正対象項目名】００１１
【補正方法】変更
【補正の内容】
【００１１】
本願第３発明は、前記第１発明において、前記搬送路に沿って配置された測定装置群に含まれる任意の測定装置は、設定項目Ｍjが前記測定装置より前記搬送路における搬送方向の上流側に位置する測定装置の設定項目Ｍiと同じかそれを含む（Ｍj⊇Ｍi）ように配置され、前記オーダ項目全てを含む設定項目を有する測定装置のうち最も上流に位置する測定装置で前記検体の測定を行う、検体検査システムを提供する。
【手続補正５】
【補正対象書類名】明細書
【補正対象項目名】００１６
【補正方法】変更
【補正の内容】
【００１６】
本願第６発明は、前記第１〜５発明において、前記各測定装置の設定項目を取得し、前記装置記憶手段に格納する装置情報取得手段をさらに備える、検体検査システムを提供する。通常、各測定装置の設定項目は、医療機関や検査機関（以下、単にユーザという）または検体検査システム販売者により装置導入時に設定される。設定項目は、検体検査システムの電源が入れられた直後に、測定装置から搬送装置を介して装置情報取得手段へと送信される。もちろん、設定項目が、測定装置から装置情報取得手段に直接送信されても良い。
【手続補正６】
【補正対象書類名】明細書
【補正対象項目名】００１７
【補正方法】変更
【補正の内容】
【００１７】
本願第７発明は、前記第１〜６発明において、
・オーダ項目の入力を受け付け、受け付けたオーダ項目を記憶するオーダ管理装置、
・前記オーダ項目の提供を前記オーダ管理装置に要求し、これを取得して前記オーダ記憶手段に格納するオーダ取得手段、をさらに有する検体検査システムを提供する。
【手続補正７】
【補正対象書類名】明細書
【補正対象項目名】００１８
【補正方法】変更
【補正の内容】
【００１８】
本発明に係る検体検査システムは、オーダ項目の入力を受け付けるオーダ管理装置から、検体のオーダ項目を取得する。本願第８発明は、前記第１〜７発明において、前記測定装置群に含まれる各測定装置は血液凝固測定装置である検体検査システムを提供する。本願第９発明は、検体検査を行うための検体検査システムに用いられる搬送制御装置としてコンピュータを機能させる搬送制御プログラムを提供する。このプログラムは、下記Ａ〜Ｄ手段として前記コンピュータを機能させる。
Ａ：検体を搬送するための搬送路を構成する搬送装置群のそれぞれに接続するための接続手段、
Ｂ：前記搬送路に沿って配置され前記検体検査のための測定を行う測定装置群に含まれる各測定装置が測定可能な検査項目（以下、設定項目という）を各測定装置ごとに記憶する装置記憶手段、
Ｃ：前記検体について測定すべきオーダ項目を記憶するオーダ記憶手段、
Ｄ：装置記憶手段により記憶された設定項目とオーダ記憶手段により記憶された検体のオーダ項目に基づいて、前記測定装置群のうち、前記設定項目が前記検体のオーダ項目全てを含むいずれかの測定装置で前記検体の測定を行うために、前記搬送装置群及び／または前記測定装置群を制御する制御手段。
【手続補正８】
【補正対象書類名】明細書
【補正対象項目名】００１９
【補正方法】変更
【補正の内容】
【００１９】
本願第１０発明は、検体検査を行うための検体検査システムに用いられる搬送制御方法を提供する。この方法は、下記Ａ〜Ｄステップを含んでいる。
Ａ：検体を搬送するための搬送路を構成する搬送装置群のそれぞれまたは前記搬送路に沿って配置され前記検体の測定を行う測定装置のそれぞれに接続するための接続ステップ、
Ｂ：前記測定装置が測定可能な検査項目（以下、設定項目という）を記憶する装置記憶ステップ、
Ｃ：前記検体について測定すべきオーダ項目を記憶するオーダ記憶ステップ、
Ｄ：装置記憶ステップにより記憶された設定項目とオーダ記憶ステップにより記憶された検体のオーダ項目に基づいて、前記測定装置群のうち、前記設定項目が前記検体のオーダ項目全てを含むいずれかの測定装置で前記検体の測定を行うために、前記搬送装置群及び／または前記測定装置群を制御する制御ステップ。
【手続補正９】
【補正対象書類名】明細書
【補正対象項目名】００２０
【補正方法】変更
【補正の内容】
【００２０】
本願第１１発明は、下記Ａ〜Ｄの手段を備える搬送制御装置を提供する。
Ａ：検体を搬送するための搬送路を構成する搬送装置のそれぞれに接続するための接続手段、
Ｂ：前記搬送路に沿って配置され前記検体の測定を行う測定装置それぞれが測定可能な検査項目（以下、設定項目という）を記憶する装置記憶手段、
Ｃ：前記検体について測定すべきオーダ項目を記憶するオーダ記憶手段、
Ｄ：装置記憶手段により記憶された設定項目とオーダ記憶手段により記憶された検体のオーダ項目に基づいて、前記測定装置群のうち、前記設定項目が前記検体のオーダ項目全てを含むいずれかの測定装置で前記検体の測定を行うために、前記搬送装置群及び／または前記測定装置群を制御する制御手段。